(57)【要約】【課題】遊技機の自由な配置に対応できる吸殻回収装置を提供する。【解決手段】遊技機の膳板１７の底部に、直線部モジュール３５とジョイントモジュール３７とを組み合わせて吸殻回収装置５を構成する。灰皿１５から投下される吸殻等は吸殻回収装置５の底部の回収部４１に溜まる。駆動部２９がスプロケット３１−１、３１−２を回転させてチェーン２７を移動させると、チェーン２７に装着されたハケ２５が吸殻回収装置５の内部底部を清掃しつつ移動し、吸殻等をキャビネット２３内の水の入ったタンク２１に投下する。【選択図】図２
2006255167.tif 000002
【特許請求の範囲】
【請求項１】
吸殻を回収する吸殻回収装置であって、
直線部モジュールと接続モジュールとを組み合わせ接続して成る本体部と、
前記本体部内側の、同一水平面内に配置する複数のスプロケットと、
前記複数のスプロケット間に設置されるチェーンと、
前記スプロケットを回転させて前記チェーンを移動させる駆動部と、
前記チェーンに装着され、前記チェーンの移動と共に前記本体部底部に溜まる前記吸殻を移動させる清掃部と、
前記清掃部が回収する前記吸殻を蓄積するタンクと、
を、具備することを特徴とする吸殻回収装置。
【請求項２】
前記直線部モジュールと前記接続モジュールは、それぞれ内側の上部にレール保持部が設けられ、
前記レール保持部は、低摩擦材からなるレールを保持し、
前記チェーンは前記スプロケットの回転と共に、前記レールに保持されつつ移動することを特徴とする請求項１記載の吸殻回収装置。
【請求項３】
前記接続モジュール、又は前記接続モジュールに装着される前記レール保持部は、前記レール保持部の装着位置調整部を有することを特徴とする請求項２記載の吸殻回収装置。
【請求項４】
前記直線部モジュールと前記接続モジュールの内側底部にそれぞれ壁部を立設し、
前記壁部は、前記直線部モジュールと前記接続モジュールとを組み合わせ接続して成る前記本体部を回収部と走行部に分離することを特徴とする請求項１記載の吸殻回収装置。
【請求項５】
前記チェーンは、前記回収部と前記走行部とを周回するように設置され、
前記チェーンに装着される前記清掃部は、
往路で前記回収部の底部に溜まる前記吸殻を前記タンクに搬送した後、復路で前記走行部を移動して前記回収部に戻り、周回移動を行うことを特徴とする請求項４記載の吸殻回収装置。
【請求項６】
前記接続モジュール内の前記壁部の上部に傾斜部を設けることを特徴とする請求項４記載の吸殻回収装置。
【請求項７】
前記清掃部は、へら又はハケを有し、
前記へら又は前記ハケは、前記チェーンにロッドを介して取り付けられることを特徴とする請求項１記載の吸殻回収装置。
【請求項８】
前記へら又は前記ハケは前記吸殻回収装置に少なくとも１個、装着され、
前記へら又は前記ハケの種類や形状は、少なくとも１種類であることを特徴とする請求項７記載の吸殻回収装置。
【請求項９】
前記接続モジュール、又は前記直線部モジュールの少なくともいずれかの上部に、吸殻投入用孔部を設けることを特徴とする請求項１記載の吸殻回収装置。
【請求項１０】
前記吸殻投入用孔部に装着する吸殻投入皿の下部にシュート部を設けることを特徴とする請求項９記載の吸殻回収装置。
【請求項１１】
前記直線部モジュールと前記接続モジュールには、それぞれの端部に凸部又は凹部の少なくともいずれかを設け、前記凸部と前記凹部とを勘合させて前記直線部モジュールと前記接続モジュールとを接続することを特徴とする請求項１記載の吸殻回収装置。
【請求項１２】
請求項１から請求項１１までのいずれかに記載の吸殻回収装置において、組み合わせ接続して前記本体部を構成するモジュール。
【請求項１３】
前記モジュールは、直線部モジュール、又は接続モジュールの少なくともいずれかであることを特徴とする請求項１２記載のモジュール。
【請求項１４】
天部、底部、側部、及び、前後に連結可能な開口部を有し、環状の動力伝達媒体が連結した前記天部内面に沿って周回し、前記動力駆動媒体の下部に連結される清掃部が連結した前記底部内面に沿って周回する、中空のモジュールであって、
前記動力伝達媒体が往路方向に摺動するレールを保持する往路レール保持部と、
前記動力伝達媒体が復路方向に摺動するレールを保持する復路レール保持部と、
前記底部内面に立設し、前記清掃部が前記往路方向に移動する回収域と前記清掃部が前記復路方向に移動する走行域とに前記底部内側の空間を分離する分離壁と、
を具備することを特徴とするモジュール。
【請求項１５】
前後方向の中心線が屈曲し、前記往路レール保持部及び前記復路レール保持部は、屈曲する前記レールを保持することを特徴とする請求項１４に記載のモジュール。
【請求項１６】
前記天部の前記回収域の上方位置に貫通孔が設けられることを特徴とする請求項１４に記載のモジュール。
【請求項１７】
前記往路レール保持部及び前記復路レール保持部は、隣接するモジュールとの装着位置を調整する装着位置調整部を有することを特徴とする請求項１４記載のモジュール。
【発明の詳細な説明】
【技術分野】
【０００１】
本発明は、遊技場における自動吸殻回収装置に関するものである。
【背景技術】
【０００２】
従来、パチンコ遊技場等の遊技場において、遊技者が吸ったタバコの吸殻は、自動吸殻回収装置で自動的に回収される。自動吸殻回収装置とは、玉置台スペースに設置する灰皿から捨てられ落下して蓄積された吸殻や灰などを、へらが取り付けられたチェーンをモータ等で回転させることにより、へらで自動的に台の端まで搬送し、吸殻回収器に収集して回収する装置である。
【０００３】
自動吸殻回収装置を設置することにより、水の入った吸殻回収器に吸殻や灰等が収集されて完全に消火されるため、吸殻からの煙や臭い等が解消され、古い吸殻への燃え移り等が防止される。また、パチンコ台個別の吸殻回収、灰皿清掃などの手間が省かれ、省労働力化も図られる（例えば特許文献１参照）。
【０００４】
【特許文献１】特開平６−１１４１５９号公報
【発明の開示】
【発明が解決しようとする課題】
【０００５】
しかしながら、従来の自動吸殻回収装置内部の、へらが取り付けられたチェーンは、モータ駆動により垂直平面を周回移動するものが主流である。この場合、パチンコ遊技機の配置は直線的に設置されることが前提になる。
【０００６】
遊技場のレイアウトのデザイン性へのこだわりや、遊技場の省スペース等を目的として、パチンコ遊技機の配置を曲線状にする場合があるが、このとき、従来の直線状の自動吸殻回収装置では、曲線状の遊技機の配置には対応できないという問題点があった。
【０００７】
本発明で、解決しようとする問題点は、遊技機の配置の自由度である。
【０００８】
本発明は、このような問題を鑑みてなされたもので、その目的とするところは、遊技機の自由な配置に対応できる吸殻回収装置を提供することである。
【課題を解決するための手段】
【０００９】
前述した目的を達成するための第１の発明は、吸殻を回収する吸殻回収装置であって、直線部モジュールと接続モジュールとを組み合わせ接続して成る本体部と、前記本体部内側の、同一水平面内に配置する複数のスプロケットと、前記複数のスプロケット間に設置されるチェーンと、前記スプロケットを回転させて前記チェーンを移動させる駆動部と、前記チェーンに装着され、前記チェーンの移動と共に前記本体部底部に溜まる前記吸殻を移動させる清掃部と、前記清掃部が回収する前記吸殻を蓄積するタンクとを、具備することを特徴とする吸殻回収装置である。
【００１０】
吸殻は、吸殻自体に限定されるものではなく、タバコの吸殻、灰、及び遊戯者が廃棄するゴミなどを含む概念である。
タンクは、その内部に水がセットされ、回収される吸殻等を完全に消化して蓄積する。遊技場の担当者が、適宜タンクの清掃や、内部の水のセットを行う。
【００１１】
第１の発明の吸殻回収装置は、直線部モジュールと接続モジュール（ジョイントモジュール）とを組み合わせ接続して成る本体部内側の、同一水平面内に複数のスプロケットを配置する。複数のスプロケット間には、チェーンを設置する。チェーンに装着される清掃部は、スプロケットを回転させてチェーンが移動すると共に、本体部底部に溜まる吸殻を移動させてタンクに回収する。
【００１２】
前記直線部モジュールと前記接続モジュールは、それぞれ内側の上部にレール保持部が設けられ、前記レール保持部は、低摩擦材からなるレールを保持し、前記チェーンは前記スプロケットの回転と共に、前記レールに保持されつつ移動する。前記接続モジュール、又は前記接続モジュールに装着される前記レール保持部は、前記レール保持部の装着位置調整部を有することが望ましい。
装着位置調整部とは、例えば楕円孔等を設けることであり、固定用のネジ位置の微調整を行うことができる。
【００１３】
前記直線部モジュールと前記接続モジュールの内側底部にそれぞれ壁部を設け、前記壁部は、前記直線部モジュールと前記接続モジュールとを組み合わせ接続して成る前記本体部を回収部と走行部に分離することが望ましい。
【００１４】
前記チェーンは、前記回収部と前記走行部とを周回するように設置され、前記チェーンに装着される前記清掃部は、往路で前記回収部の底部に溜まる前記吸殻を前記タンクに搬送した後、復路で前記走行部を移動して前記回収部に戻り、周回移動を行うことが望ましい。
【００１５】
前記接続モジュール内の前記壁部の上部に傾斜部を設けることが望ましい。壁部の上部に傾斜部を設けることで、投下される吸殻等を回収部に蓄積させる。
【００１６】
前記清掃部は、へら又はハケを有し、前記へら又は前記ハケは、前記チェーンにロッドを介して取り付けられるようにしても良い。
【００１７】
前記へら又は前記ハケは前記吸殻回収装置に少なくとも１個、装着され、前記へら又は前記ハケの種類や形状は、少なくとも１種類である。即ち、吸殻回収装置に配置する清掃部の数や、個々の清掃部の種類や形状は任意である。
【００１８】
前記接続モジュール、又は前記直線部モジュールの少なくともいずれかの上部に、吸殻投入用孔部を設けることが望ましい。また、前記吸殻投入用孔部に装着する吸殻投入皿の下部にシュート部を設けることが望ましい。
【００１９】
前記直線部モジュールと前記接続モジュールには、それぞれの端部に凸部又は凹部の少なくともいずれかを設け、前記凸部と前記凹部とを勘合させて前記直線部モジュールと前記接続モジュールとを接続することが望ましい。
【００２０】
第１の発明による吸殻回収装置は、直線部モジュールと接続モジュールを組み合わせ接続して本体部を構成するので、吸殻回収装置を設置する遊技機の配置を直線状に限定することなく、自由度の高い遊技機配置を可能にする。
【００２１】
第２の発明は、第１の発明の吸殻回収装置において、組み合わせ接続して前記本体部を構成するモジュールである。
【００２２】
第３の発明は、天部、底部、側部、及び、前後に連結可能な開口部を有し、環状の動力伝達媒体（チェーン、ベルト等）が連結した前記天部内面に沿って周回し、前記動力駆動媒体の下部に連結される清掃部が連結した前記底部内面に沿って周回する、中空のモジュールであって、前記動力伝達媒体が往路方向に摺動するレールを保持する往路レール保持部と、前記動力伝達媒体が復路方向に摺動するレールを保持する復路レール保持部と、前記底部内面に立設し、前記清掃部が前記往路方向に移動する回収域（回収部）と前記清掃部が前記復路方向に移動する走行域（走行部）とに前記底部内側の空間を分離する分離壁と、を具備することを特徴とするモジュールである。
【００２３】
モジュールは、直線部モジュール、接続モジュール等である。モジュールの形状は、特に限定されず、前後方向の中心線が屈曲する形状として、レール保持部が屈曲するレールを保持するようにしてもよい。天部には吸殻等を回収域に投入するための貫通孔が設けられる。
【００２４】
第２の発明及び第３の発明のモジュールは、直線部モジュール又は接続モジュールの少なくともいずれかであり、これらを組み合わせ接続して吸殻回収装置の本体部を構成するので、吸殻回収装置の形状の自由度を上げる効果がある。
【発明の効果】
【００２５】
本発明によれば、遊技機の自由な配置に対応できる吸殻回収装置を提供することができる。
【発明を実施するための最良の形態】
【００２６】
以下に、図面に基づいて本発明の実施の形態を詳細に説明する。図１は、本実施の形態に係る吸殻回収装置５を設置したパチンコ遊技機１の構成を示す図である。
【００２７】
（１．構成）
（１−１．パチンコ遊技機１の構成）
パチンコ遊技機１は、複数のパチンコ機３が並列に接続されたものである。パチンコ機３には、各種の表示を行う表示機７、パチンコ遊技を行う盤面９、パチンコ球の打ち出し等を操作するハンドル１３、パチンコ出球を受ける受皿１１等が設けられる。遊技者は、ハンドル１３を操作して盤面９上でパチンコ遊技を行う。
【００２８】
パチンコ遊技機１は複数のパチンコ機３を載せる台１９が設けられ、台１９の上には膳板１７が設けられる。複数のパチンコ機３は、膳板１７の上部に並べて設置される。膳板１７の前部は、通常パチンコ玉を入れる箱を置く玉置台として使用される。
【００２９】
膳板１７には、遊技者がパチンコ機３に向かうと、左側に灰皿１５が埋め込まれるように設けられる。灰皿１５は、底部に複数個の穴が設けられ、灰皿１５に捨てた吸殻等は、膳板１７の下部に設けられた吸殻回収装置５の内部に落ちる。
【００３０】
吸殻回収装置５は、膳板１７の裏側に固定され、膳板１７に設けられた灰皿１５から吸殻回収装置５の底部に落ちた吸殻等を自動的に回収する。即ち、複数人の遊技者がそれぞれの灰皿１５から投下した吸殻等を１箇所に回収する。
【００３１】
吸殻回収装置５の端部（図１では右端）、即ちパチンコ遊技機１の台１９の右端には、キャビネット２３が設けられる。キャビネット２３には、後述するが内部に吸殻等を回収するタンク２１や、吸殻回収装置５の駆動部等が収納されている。タンク２１には、吸殻回収装置５によって搬送されてきた吸殻等が集められ、回収される。尚、タンク２１には内部に水をセットし、回収した吸殻等の火を完全に消化して蓄積する。
【００３２】
尚、図１に示す複数のパチンコ機３は曲線的に配置され、遊技者がパチンコ機３を囲む形で配置されているが、逆にパチンコ機３が遊技者を囲むように逆曲線的に配置するようにしても良い。また、パチンコ機３の配置は直線状であっても良いし、Ｓ字の配置になるようにしても良い。
【００３３】
（１−２．吸殻回収装置５の構成）
図２は、吸殻回収装置５の構成を示す図である。即ち、図２は、図１に示すパチンコ遊技機１を上部から見た図である。吸殻回収装置５は、直線部モジュール３５とジョイントモジュール３７を組み合わせ接続して構成され、膳板１７の裏側（下側）に取り付けられる。
【００３４】
まず、直線部モジュール３５とジョイントモジュール３７について簡単に説明する。直線部モジュール３５の斜視図を図３に示す。直線部モジュール３５は、モジュール本体４５−１とモジュール蓋部４７−１とで構成され、内部は空洞である。モジュール本体４５−１は、ヒンジ４９を介してモジュール蓋部４７−１を接続し、モジュール蓋部４７−１の蓋取付部５１が、モジュール本体４５−１に嵌るように形成する。
【００３５】
モジュール蓋部４７−１の底面ほぼ中央部に鉛直に分離壁３９を設け、直線部モジュール３５の内部を、回収部４１と走行部４３とに分離する。また、モジュール本体４５−１の両端には、接続用凹部５５を数箇所設ける。尚、モジュール蓋部４７−１に接続用凹部５５を更に設けるようにしても良い。また、後で図６を用いて詳細に説明するが、モジュール本体４５−１の内側上部にレール保持部を設ける。
【００３６】
次に、ジョイントモジュール３７の斜視図を図４に示す。ジョイントモジュール３７は、モジュール本体４５−２とモジュール蓋部４７−２とで構成され、内部は空洞である。モジュール本体４５−２は、ヒンジ４９を介してモジュール蓋部４７−２を接続し、モジュール蓋部４７−２の蓋取付部５１が、モジュール本体４５−２に嵌るように形成する。ジョイントモジュール３７はパチンコ機３の並びの曲がりに合わせ、図４に示す形状だけでなく図５に示す形状のものを使用しても良い。
【００３７】
モジュール蓋部４７−２の底面ほぼ中央部に上部が傾斜した分離壁５３を設け、ジョイントモジュール３７の内部を、回収部４１と走行部４３とに分離する。また、モジュール本体４５−２の両端には、接続用凸部５７を数箇所設ける。尚、モジュール蓋部４７−２に接続用凸部５７を更に設けるようにしても良い。また、後で図８乃至図１１等を用いてジョイントモジュール３７については詳細に説明する。
【００３８】
上記説明した、直線部モジュール３５とジョイントモジュール３７を適宜パチンコ機３の並びに合わせて組み合わせ接続して、吸殻回収装置５が構成される。図２に示すように、パチンコ機３の終端（図２では右端）にキャビネット２３を設置し、キャビネット２３に搬送され回収された吸殻等を蓄積するタンク２１と、吸殻回収装置５のチェーン２７を移動させる駆動部２９等を設置する。
【００３９】
尚、図２のように吸殻回収装置５の内側上部には、スプロケット３１−１、３１−２、３１−３、及び図示していないが反対側端（図２では左端）に数個（通常２個）のスプロケットを同一平面に設け、これらのスプロケットを同一水平面で回転させる。チェーン２７は、スプロケット３１−１、３１−２、３１−３、及び反対側端のスプロケットの外側に巻いて設置する。モータなどの駆動部２９がスプロケット３１−１又はスプロケット３１−２を回転させることにより、チェーン２７が移動する。チェーン２７の移動に連動して他のスプロケットも回転する。尚、スプロケット３１−３はチェーン２７のテンション調整と、チェーン２７の走行方向転換を目的として設置する。
【００４０】
尚、図示していないが反対側端のスプロケットは、チェーン２７を保持しつつ、チェーン２７の走行方向を転換させる。即ちチェーン２７は、スプロケット３１−１、３１−２の回転と共に、吸殻回収装置５内を周回移動する。
【００４１】
膳板１７には、孔を設け、当該孔には灰皿１５を嵌め込む。また、ジョイントモジュール３７には灰皿用孔５９を設け、膳板１７に設ける孔との位置を合致させる。当該灰皿１５に吸殻等が投入されると、吸殻等はジョイントモジュール３７の回収部４１に落下して蓄積される。
【００４２】
また、図２に示すように、チェーン２７に取り付けられた複数のハケ２５は、チェーン２７の移動とともに吸殻回収装置５の底部の回収部４１に落下している吸殻等を回収しつつ搬送し、吸殻等をタンク２１に回収する。ハケ２５はチェーン２７の移動と共にキャビネット２３内で方向を変え、吸殻回収装置５の走行部４３を移動する。即ち、チェーン２７の周回移動と同様に、ハケ２５は吸殻回収装置５の回収部４１と走行部４３とを周回移動する。
【００４３】
（１−３．直線部モジュール３５の構成）
図６に、直線部モジュール３５の側面図を示す。即ち、図６は、図３に示す直線部モジュール３５をパチンコ遊技機１の膳板１７の裏側に取り付けた際の側面図を示す。図６のモジュール本体４５−１の内側上部のチェーン装着部６１については、図７に詳細に示す。
【００４４】
図７は、チェーン装着部６１を示す。チェーン装着部６１には、モジュール本体４５−１と同時に成型形成されるレールサポート部６５と、当該レールサポート部６５の内部に挟むように設置する樹脂製の低摩擦材からなるレール６３と、当該レール６３に更に挟むようにチェーン２７とを設置する。
【００４５】
尚、レール６３とチェーン２７とは、直線部モジュール３５とジョイントモジュール３７とを接続した後に取り付ける。尚、チェーン２７がレール６３に保持されつつスムーズに移動を行うように配置されていれば、レール６３は吸殻回収装置５の内部で必ずしも連続している必要はない。
【００４６】
チェーン２７は図２に示したように、同一水平面上の複数のスプロケットの外側に周回移動するように配置される。チェーン２７は、その長さやテンションを調整するために、チェーン２７の一部を取り外したり部品の追加ができる構成にしても良い。
【００４７】
吸殻回収装置５の内部に配置されるチェーン２７には複数のハケ２５を装着する。例えば図２では、吸殻回収装置５内部の回収部４１を移動するハケ２５は方向Ａに移動する。また、走行部４３を移動するハケ２５は方向Ｂに移動する。
【００４８】
ハケ２５は、図６、図７に示すように、チェーン２７にロッド６４を介して接続される。尚、清掃効果を高めるために、ロッド６４にバネなどを装着して、ハケ２５を底部に押し付けるような機構にしても良い。
【００４９】
（１−４．ジョイントモジュール３７の構成）
次に、ジョイントモジュール３７の構成について図８乃至図１１を用いて説明する。図８はジョイントモジュール３７を上方から見た図である。図９は、側面図である。図１０は、特にレールサポート部６９とその取り付け方法を説明する図である。図１１は、ジョイントモジュール３７の上の膳板１７に嵌める灰皿１５を示す。
【００５０】
図８は、ジョイントモジュール３７を上方から見た図であり、ジョイントモジュール３７はパチンコ機３の曲線配置に対応できる角度を有する。尚、パチンコ機３の種々な曲線配置のバリエーションに対応できるように、ジョイントモジュール３７の曲がり角度には、汎用的な角度を持たせることが望ましい。
【００５１】
前述したが、ジョイントモジュール３７には、灰皿１５を嵌める灰皿用孔５９を設け、その孔位置は膳板１７に設ける孔位置と一致させる。
【００５２】
また、ジョイントモジュール３７は、レールサポート部６９を内側空洞部上部に配置し、ねじ６７等でモジュール本体４５−２に固定する。尚、レールサポート部６９は、樹脂製の低摩擦材からなるレール６３を支える。
【００５３】
図１０にレールサポート部６９を示す。レールサポート部６９は、一例として断面Ｌ字形状を有し、上面に取り付け用の楕円孔７１−１、７１−２を備える。尚、楕円孔７１−１と楕円孔７１−２とは孔の長手方向が異なる向きであるので、レールサポート部６９の取り付け位置の微調整が２方向について可能である。
【００５４】
図９に、ジョイントモジュール３７をパチンコ遊技機１の膳板１７の裏側に取り付けた側面図を示す。膳板１７に嵌める灰皿１５は、図１１に示すが、灰皿１５の下部にシュート部７３を設け、投入される吸殻等を一方向に投下する構造をもたせる。即ち、図９において、灰皿１５に投入される吸殻等はジョイントモジュール３７の回収部４１にのみ投下されるようにする。尚、図示していないが、灰皿１５には、灰皿１５が回転しないように、即ちシュート部７３の向きが変わらないようなストッパ等を備える。
【００５５】
ジョイントモジュール３７は、図４で説明したように、モジュール本体４５−２とモジュール蓋部４７−２とで構成され、モジュール蓋部４７−２に上部が傾斜した分離壁５３を設け、ジョイントモジュール３７の内部を、回収部４１と走行部４３とに分離する。この傾斜した分離壁５３を設けることで、上記灰皿１５から投入される吸殻等が全て回収部４１に落下する。
【００５６】
（１−５．ハケ７５等の構成）
次に、ハケ７５について説明する。チェーン２７に取り付けるハケ２５は、一例として、チェーン２７に５０ｃｍごとに取り付ける。ハケ２５は、チェーン２７にロッド６４を介して取り付けられるが、例えばバネ等をロッド６４に装着して、ハケ２５を底面に押し付けるような機構にしても良い。
【００５７】
また、ハケ２５の形状は例えば図１２に示すように、種々の形状を用いても良い。即ち、吸殻回収装置５の内部の全てのハケ２５を同じ種類で統一しても良いし、数種類のハケ２５を利用するようにしても良い。
【００５８】
図１２では、走行方向をＡとすると、例えば（ａ）のハケ７５−１は、走行部４３の両側面を重点的に清掃するのに適する。（ｂ）のハケ７５−２は、走行部４３の底面を重点的に清掃するのに適する。（ｃ）のハケ７５−３は、一般的な清掃に適する。（ｄ）のハケ７５−４は、走行部４３の走行方向右側面を重点的に清掃するのに適する。（ｅ）のハケ７５−５は、走行部４３の走行方向左側面を重点的に清掃するのに適する。
【００５９】
従って、特徴のあるハケを組み合わせてチェーン２７に装填することにより、吸殻回収装置５内部の清掃品質を高める効果がある。尚、ハケ２５の代わりに、清掃用ブラシやへらなどを装填しても良い。
【００６０】
（２．吸殻等の搬送手順）
次に、吸殻回収装置５の吸殻等の搬送・回収の手順について説明する。まず、遊技者が図１に示すパチンコ機３で遊技中に、タバコの吸殻や灰等を灰皿１５から投下する。尚、灰皿１５は、吸殻回収装置５のジョイントモジュール３７（図２参照）の位置にある膳板１７に嵌め込まれている。
【００６１】
吸殻等は、図９に示す灰皿１５からシュート部７３を経て、ジョイントモジュール３７の回収部４１に落下する。ジョイントモジュール３７の底部に、上部が傾斜している分離壁５３が設けられており、投下される吸殻等が走行部４３に入るのを防止する。
【００６２】
図２のように、ジョイントモジュール３７と直線部モジュール３５とが組み合わされて吸殻回収装置５が形成される。駆動部２９は、モータなどでスプロケット３１−１、３１−２を回転させ、当該スプロケット３１−１、３１−２の外側に巻かれたチェーン２７を一定速度で回転させる。
【００６３】
チェーン２７には適当な間隔でハケ２５が装着され、ハケ２５はチェーン２７の移動と共に吸殻回収装置５の底部を清掃しつつ周回移動する。図２において、ハケ２５は吸殻回収装置５の回収部４１では、回収部４１に落下している吸殻等を回収しつつ方向Ａに移動する。ハケ２５は、キャビネット２３のタンク２１に回収した吸殻等を掃き落とし、スプロケット３１−３で方向転換して、吸殻回収装置５の走行部４３を戻る。このように、ハケ２５が底部を移動することにより、複数の灰皿１５から投下された吸殻等を自動的に１箇所のタンク２１に搬送して回収する。
【００６４】
尚、図１２で説明したように、種々の形状のハケを利用して効果的に清掃することができる。例えば、汎用的なハケ７５−３でほぼ吸殻等を搬送し、両側面重視のハケ７５−１で両側面の汚れを清掃し、底面重視のハケ７５−２で底面に残る汚れを清掃する、という順に走行させることで、回収部４１を効果的に清掃することができる。
【００６５】
また、図２に示す吸殻回収装置５の場合、例えば灰皿１５のシュート部７３の方向特性で、例えば回収部４１の分離壁３９寄りに吸殻等が溜まり易いとすると、左側面重視のハケ７５−５を幾つか装填することで、清掃効果が向上する。
【００６６】
尚、遊技場では、常時、吸殻回収装置５を駆動させてもよいし、タイマーなどを利用して一定時間ごとに駆動部２９を動作させるようにしても良い。また適宜担当者が駆動部２９のオンオフを行うようにして吸殻回収装置５を駆動させても良い。
【００６７】
（３．その他の構成）
尚、例えばパチンコ機３の配置曲線が特異であった場合などは、本実施の形態で説明した汎用的なジョイントモジュール３７では対応できない場合も想定できる。このような特異な場合は、ジョイントモジュール３７と直線部モジュール３５との間に更に特異な配置に対応できるモジュールを挿入するようにしても良い。また、ジョイントモジュール３７を連続して接続し、曲率の高い配置曲線に対応させるようにしても良い。
【００６８】
直線部モジュール３５とジョイントモジュール３７には、接続部に凸部と凹部を設けて勘合させて接続するとしたが、凸部と凹部の数と場所、及び組み合わせは本実施の形態で説明したものに限定されるものではない。本実施の形態では図示していないが、モジュール同士の接続のバリエーションを広げるために、直線部モジュール３５同士を接続するためのアダプタモジュール、ジョイントモジュール３７同士を接続するためのアダプタモジュール、少し接続角度を調整するためのアダプタモジュールなどを導入しても良い。
【００６９】
また、本実施の形態では、ジョイントモジュール３７に灰皿１５を嵌める灰皿用孔５９を設けるとして説明したが、灰皿１５の位置はジョイントモジュール３７の位置に限定されるものではなく、直線部モジュール３５に灰皿用孔を設けるようにしても良い。その場合、直線部モジュール３５内の分離壁３９の上部に傾斜部を設け、吸殻等を回収部４１に投下させる。
【００７０】
（４．効果等）
このように、本実施の形態では、遊技機（パチンコ機３）を曲線的に配置した場合でも、直線部モジュール３５とジョイントモジュール３７とを組み合わせて吸殻回収装置５を形成できるので、レイアウトの自由度を高める効果がある。
【００７１】
更に、遊技機の配置を変更する場合でも、吸殻回収装置５の直線部モジュール３５とジョイントモジュール３７を組み替えて、吸殻回収装置５を再構成できるので経済的効果が大きい。
【００７２】
また、遊戯機の曲線的な配置に対しても、汎用性のある直線部モジュール３５とジョイントモジュール３７とを組み合わせて吸殻回収装置５を形成できるので、経済的効果が大きい。
【００７３】
また、本実施の形態の吸殻回収装置５は、一体化した大型形状ではなく、モジュールに分割されているので、施工が容易であるとともに納品時の搬送等も容易である。
【００７４】
本実施の形態の吸殻回収装置５を利用することで、遊技場のデザイン性を向上させる効果があるとともに、例えば遊技機等のＳ字配置を行うことで遊技場の空間を効率よく利用することができる。
【００７５】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７６】
【図１】パチンコ遊技機１の構成を示す図
【図２】吸殻回収装置５の構成を示す図
【図３】直線部モジュール３５の構造を示す図
【図４】ジョイントモジュール３７の構造を示す図
【図５】別のジョイントモジュール３７の構造を示す図
【図６】直線部モジュール３５の側面図
【図７】チェーン装着部６１を示す図
【図８】ジョイントモジュール３７
【図９】ジョイントモジュール３７の側面図
【図１０】レールサポート部６９を示す図
【図１１】灰皿１５の形状を示す図
【図１２】ハケ７５の形状を示す図
【符号の説明】
【００７７】
１………パチンコ遊技機
３………パチンコ機
５………吸殻回収装置
７………表示機
９………盤面
１１………受皿
１３………ハンドル
１５………灰皿
１７………膳板
１９………台
２１………タンク
２３………キャビネット
２５………ハケ
２７………チェーン
２９………駆動部
３１−１、３１−２、３１−３………スプロケット
３５………直線部モジュール
３７………ジョイントモジュール
３９、５３………分離壁
４１………回収部
４３………走行部
４５−１、４５−２………モジュール本体
４７−１、４７−２………モジュール蓋部
４９………ヒンジ
５１………蓋取付部
５５………接続用凹部
５７………接続用凸部
５９………灰皿用孔
６１………チェーン装着部
６３………レール
６４………ロッド
６５、６９………レールサポート部
６７………ねじ
７１−１、７１−２………楕円孔
７３………シュート部
７５−１〜７５−５………ハケ
【図１】
2006255167.tif 000003
【図２】
2006255167.tif 000004
【図３】
2006255167.tif 000005
【図４】
2006255167.tif 000006
【図５】
2006255167.tif 000007
【図６】
2006255167.tif 000008
【図７】
2006255167.tif 000009
【図８】
2006255167.tif 000010
【図９】
2006255167.tif 000011
【図１０】
2006255167.tif 000012
【図１１】
2006255167.tif 000013
【図１２】
2006255167.tif 000014